【事件の表示】
　特許第３１８３３５７号「使い捨ておむつ」の請求項１、２に係る特許に対する特許異議の申立てについて、次のとおり決定する。
【結　論】
　訂正を認める。
　特許第３１８３３５７号の請求項１ないし２に係る特許を維持する。
【理　由】
１．手続の経緯
　本件特許第３１８３３５７号は、平成４年２月２５日の出願に係り、平成１３年４月２７日に設定登録がなされ、平成１３年７月９日にその特許掲載公報が発行され、その後、ユニ・チャーム株式会社より特許異議の申立てがなされ、取消しの理由が通知され、その指定期間内である平成１４年５月２７日に特許異議意見書の提出とともに訂正請求がなされたものである。
　
２．訂正の適否についての判断
２−１．訂正の内容
　特許権者は本件特許明細書の記載を訂正明細書のとおりに訂正することを求めており、その具体的な内容は以下の通りのものと認める。
（１）特許請求の範囲の【請求項１】の記載、
「【請求項１】液透過性の表面シートと、防漏シートと、これら両シート間に位置する吸収体とを有する使い捨ておむつにおいて、
　上記防漏シートは、その長手方向両端部が上記吸収体の長手方向両端部よりも外側に位置するように長く延出され、
　上記防漏シートの長手方向両端部それぞれから、上記吸収体の両端部及び上記表面シートの両端部の表面に亘ってそれらを覆う疎水性シートが設けられ、
　上記防漏シート及び疎水性シートの両端部により形成されるウエストフラップに伸縮部材が張設されてウエストギャザーが形成され、
　上記表面シートは、その長手方向両端部が上記吸収体よりもおむつの内方側に位置しており、
　上記表面シートの長手方向の端部から上記防漏シートの長手方向の端部までの距離は５〜２９５ｍｍであり、上記防漏シートは、その長手方向端部において、上記吸収体の長手方向端部から１０〜２００ｍｍ延出しており、上記疎水性シートは、上記防漏シートの長手方向端部から内側に１０ｍｍ以上延出していることを特徴とする使い捨ておむつ。」を、
「【請求項１】液透過性の表面シートと、防漏シートと、これら両シート間に位置する吸収体とを有する使い捨ておむつにおいて、
　上記防漏シートは、その長手方向両端部が上記吸収体の長手方向両端部よりも外側に位置するように長く延出され、
　上記防漏シートの長手方向両端部それぞれから、上記吸収体の両端部及び上記表面シートの両端部の表面に亘ってそれらを覆う疎水性シートが設けられ、
　上記防漏シート及び疎水性シートの両端部により形成されるウエストフラップに伸縮部材が張設されてウエストギャザーが形成され、
　上記表面シートは、その長手方向両端部が上記吸収体よりもおむつの内方側に位置しており、
　上記防漏シートは、熱可塑性樹脂にフィラーを加えて延伸した液不透過性且つ透湿性フィルムシートと繊維集合体との複合シートであり、
　上記疎水性シートは、疎水性を有する不織布であり、
　上記表面シートの長手方向の端部から上記防漏シートの長手方向の端部までの距離は３０〜１５０ｍｍであり、
　上記防漏シートは、その長手方向端部において、上記吸収体の長手方向端部からの距離Ｓとして３０〜１００ｍｍ延出しており、
　上記疎水性シートは、上記防漏シートの長手方向端部から内側に上記距離Ｓ＋１０ｍｍ以上延出し且つ上記吸収体の長さの１／３以上を覆わないようになしてあることを特徴とする使い捨ておむつ。」と訂正する。
（２）特許請求の範囲の【請求項２】の記載、
「【請求項２】上記疎水性シートは、液不透過性で且つ透湿性を有するシート及び疎水性不織布の複合シートからなることを特徴とする請求項１記載の使い捨ておむつ。」を、
「【請求項２】上記疎水性シートは、液不透過性で且つ透湿性を有するシート及び疎水性不織布の複合シートからなり、該複合シートは、透湿性を損なわないように部分的に接着されていることを特徴とする請求項１記載の使い捨ておむつ。」と訂正する。
（３）明細書の段落【０００７】の記載中、
「おむつの内方側に位置しており、上記表面シートの長手方向の端部から上記防漏シートの長手方向の端部までの距離は５〜２９５ｍｍであり、上記防漏シートは、その長手方向端部において、上記吸収体の長手方向端部から１０〜２００ｍｍ延出しており、上記疎水性シートは、上記防漏シートの長手方向端部から内側に１０ｍｍ以上延出していることを特徴とする使い捨ておむつ」を、
「おむつの内方側に位置しており、上記防漏シートは、熱可塑性樹脂にフィラーを加えて延伸した液不透過性且つ透湿性フィルムシートと繊維集合体との複合シートであり、上記疎水性シートは、疎水性を有する不織布であり、上記表面シートの長手方向の端部から上記防漏シートの長手方向の端部までの距離は３０〜１５０ｍｍであり、上記防漏シートは、その長手方向端部において、上記吸収体の長手方向端部からの距離Ｓとして３０〜１００ｍｍ延出しており、上記疎水性シートは、上記防漏シートの長手方向端部から内側に上記距離Ｓ＋１０ｍｍ以上延出し且つ上記吸収体の長さの１／３以上を覆わないようになしてあることを特徴とする使い捨ておむつ」と訂正する。
（４）明細書の段落【００１２】の記載、
「【００１２】
　このため、表面シート２の長手方向の各端から防漏シート３の長手方向の各端までの距離Ｔは、５〜２９５ｍｍ、好ましくは、３０〜１５０ｍｍである。更に、表面シート２は、その長手方向各端部２ａ，２ａが、図１及び図２に示すように、伸縮部材６と当接しないようになされている。防漏シート３は、通常使用される液不透過性のフィルムであっても良いが、より着用者の快適性を確保するためにも液不透過性でかつ透湿性を有するフィルムを用いることが好ましい。具体的には、熱可塑性樹脂にフィラーを加えて延伸した液不透過性且つ透湿性フィルムシートや繊維集合体又は該フィルムシートと該繊維集合体との複合シートが用いられ、該複合シートを用いる場合には通常の使い捨ておむつと同様に該繊維集合体が外側に位置するように使用される。」を、
「【００１２】
　このため、表面シート２の長手方向の各端から防漏シート３の長手方向の各端までの距離Ｔは、３０〜１５０ｍｍである。更に、表面シート２は、その長手方向各端部２ａ，２ａが、図１及び図２に示すように、伸縮部材６と当接しないようになされている。防漏シート３は、より着用者の快適性を確保するためにも液不透過性でかつ透湿性を有するフィルムを用いることが好ましい。具体的には、熱可塑性樹脂にフィラーを加えて延伸した液不透過性且つ透湿性フィルムシートと繊維集合体との複合シートが用いられ、該複合シートを用いる場合には通常の使い捨ておむつと同様に該繊維集合体が外側に位置するように使用される。」と訂正する。
（５）明細書の段落【００１３】の記載中、
「距離Ｓは、１０〜２００ｍｍ、好ましくは３０〜１００ｍｍである。」を、
「距離Ｓは、３０〜１００ｍｍである。」と訂正する。
（６）明細書の段落【００１４】の記載中、
「疎水性シート５は、疎水性を有する一般的な不織布であっても良いが、好ましくは」を
「疎水性シート５は、疎水性を有する不織布であり、好ましくは」と訂正する。
（７）明細書の段落【００１４】の記載中、
「疎水性を有する不織布５ａと液透過性でかつ透湿性を有するシート５ｂ」を、
「疎水性を有する不織布５ａと液不透過性でかつ透湿性を有するシート５ｂ」と訂正する。
（８）明細書の段落【００１５】の記載中、
「部分的な接着が好ましい。疎水性シート５は、その機能を充分に発揮するために、防漏シート３の両端（おむつ長手方向の両端）から内側に延出する寸法Ｕを１０ｍｍ以上としてある。上記寸法Ｕは、好ましくはＳ＋１０ｍｍ以上、特に好ましくはＳ＋３０ｍｍ〜Ｓ＋１００ｍｍであるが、吸収体の長さの１／３以上を覆ってしまうと吸収体４の吸収面積の減少を招き好ましくない。」を、
「部分的な接着でなされている。疎水性シート５は、その機能を充分に発揮するために、防漏シート３の両端（おむつ長手方向の両端）から内側に延出する寸法ＵをＳ＋１０ｍｍ以上とし且つ吸収体４の長さの１／３以上を覆わないようになしてある。上記寸法Ｕは、好ましくはＳ＋３０ｍｍ〜Ｓ＋１００ｍｍであるが、疎水性シート５が吸収体の長さの１／３以上を覆ってしまうと、吸収体４の吸収面積の減少を招き好ましくない。」と訂正する。
（９）明細書の【符号の説明】の記載、
「１　使い捨ておむつ
　２　表面シート
　３　防漏シート
　５　疎水性シート
　６　ウエスト伸縮部材１０ａ、１０ｂ」を、
「１　使い捨ておむつ
　２　表面シート
　３　防漏シート
　４　吸収体
　５　疎水性シート
　６　ウエスト伸縮部材
　７　ウエストフラップ」と訂正する。
　
２−２．訂正の目的の適否・新規事項の有無・特許請求の範囲の実質的拡張あるいは変更の有無
　訂正事項（１）及び（２）は、特許請求の範囲の減縮を目的とした明細書の訂正に該当し、明細書の段落【００１２】【００１３】【００１４】及び【００１５】に記載された事項に基づいている。
　訂正事項（３）乃至（６）及び（８）は、上記訂正事項（１）及び（２）により訂正された特許請求の範囲の記載と、発明の詳細な説明の記載とを整合させるものであり、上記の明細書の段落に記載された事項に基づいている。
　訂正事項（７）は、液不透過性の防漏シートを構成するシート５ｂについて「液透過性」とする明らかな誤記を「液不透過性」と訂正するもので、誤記の訂正を目的とする訂正に該当する。
　訂正事項（９）は、「ウエスト伸縮部材」についての誤記を訂正するとともに吸収体及びウエストフラップの符号を明示したもので、誤記の訂正及び明りょうでない記載の釈明に該当し、吸収体及びウエストフラップの符号については明細書の随所に記載されている。
　そして、上記訂正事項はいずれも、実質上特許請求の範囲を拡張し、又は変更するものではない。
　
２−３．訂正の適否についての結論
　したがって、上記の訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書及び第２項の規定に適合するので、当該訂正を認める。
　
３．特許異議の申立てについての判断
３−１．本件発明
　本件請求項１及び２に係る発明は、訂正明細書の特許請求の範囲の請求項１及び２に記載された事項により特定されるとおりのものであり、これを分説して示すと以下のとおりである。
「【請求項１】
Ａ．液透過性の表面シートと、防漏シートと、これら両シート間に位置する吸収体とを有する使い捨ておむつにおいて、
Ｂ．上記防漏シートは、その長手方向両端部が上記吸収体の長手方向両端部よりも外側に位置するように長く延出され、
Ｃ．上記防漏シートの長手方向両端部それぞれから、上記吸収体の両端部及び上記表面シートの両端部の表面に亘ってそれらを覆う疎水性シートが設けられ、
Ｄ．上記防漏シート及び疎水性シートの両端部により形成されるウエストフラップに伸縮部材が張設されてウエストギャザーが形成され、
Ｅ．上記表面シートは、その長手方向両端部が上記吸収体よりもおむつの内方側に位置しており、
Ｆ．上記防漏シートは、熱可塑性樹脂にフィラーを加えて延伸した液不透過性且つ透湿性フィルムシートと繊維集合体との複合シートであり、
Ｇ．上記疎水性シートは、疎水性を有する不織布であり、
Ｈ．上記表面シートの長手方向の端部から上記防漏シートの長手方向の端部までの距離は３０〜１５０ｍｍであり、
Ｉ．上記防漏シートは、その長手方向端部において、上記吸収体の長手方向端部からの距離Ｓとして３０〜１００ｍｍ延出しており、
Ｊ．上記疎水性シートは、上記防漏シートの長手方向端部から内側に上記距離Ｓ＋１０ｍｍ以上延出し且つ上記吸収体の長さの１／３以上を覆わないようになしてあることを特徴とする使い捨ておむつ。
　【請求項２】
Ｋ．上記疎水性シートは、液不透過性で且つ透湿性を有するシート及び疎水性不織布の複合シートからなり、該複合シートは、透湿性を損なわないように部分的に接着されていることを特徴とする請求項１記載の使い捨ておむつ。」（Ａ〜Ｋの符号は便宜上当審において付したものである。）
　
３−２．異議の申立ての理由の概要
　異議申立人ユニ・チャーム株式会社は、証拠として、下記の甲第１乃至３号証を提出し、本件の訂正前の請求項１及び２に係る特許は、下記の理由により取り消すべきである旨を主張している。
　理由１：（訂正前の）本件請求項１及び２に係る発明は、甲第１乃至３号証に記載された発明に基づいて当業者が容易に発明をすることができたものであるから特許法第２９条第２項の規定により特許を受けることができない。
　理由２：（訂正前の）本件請求項１及び２に係る特許は、明細書の発明の詳細な説明の記載と、その記載によって支持されるべき請求項１に係る発明とが、当業者にとって容易に実施できる程度の構成を有するものでないので、（平成２年）特許法第３６条第４項もしくは第５項に規定する要件を満たしていない特許出願に対してなされたものである。
　異議申立人の提出した証拠
甲第１号証：特開平１−１７４６０２号公報
甲第２号証：実願平２−３２３２５号（実開平３−１２２８２３号）のマイクロフィルム
甲第３号証：実願昭６２−１０２７２９号（実開昭６４−１０００９号）のマイクロフィルム
　
３−３．理由１について
３−３−１．提出された証拠の開示事項
　甲第１号証（当審が通知した取消理由通知で引用した刊行物１）には、「液透過性表面シート、液不透過性裏面シート及び該両シートの間に位置する吸収体を有する使い捨ておむつにおいて、おむつ表面の長手方向両端部又は少くとも前端部が、吸収体に少くとも１０ｍｍ多くとも５０ｍｍかかるまで疎親水度が３０秒以上であり、その他の部分が５秒以下であることを特徴とするつかいすておむつ。」［特許請求の範囲（１）］に関する発明が記載されており、おむつの表面シートとしての不織布は、おむつ着用者が排尿する付近は親水性でなければならないがその一方で吸収体中で拡散した尿は複数回の排尿によりおむつの前端又は後端に達してそこから表面シートを通って漏れ出ることがあり、ある程度吸収体にかかる表面シート部分を疎水性にしておけば吸収体から尿が表面シート上に出にくくなり上記の漏れを防ぐことができる旨、及びそのために、上記親水性部分及び疎水性部分は、「約０．１ｇの水滴を３０ｍｍの高さからおむつの表面シート上に滴下し表面シートに乗った水滴がくずれる（表面シート中に吸収される）までの時間を測定しその疎水度及び親水度を示すものである」ところの疎親水度がそれぞれ５秒以下及び３０秒以上であることが必要である旨が開示され［第２頁左上欄第１９行〜同頁左下欄第２行の記載参照］、実施例には上記疎水性部分Ａ及び親水性部分Ｂに配される疎親水度の異なる不織布が例示され、第１、３及び４図には、「本発明つかいすておむつ」、「本発明使いすておむつの他の例」及び「図３のＣ−Ｃ’の断面図」とされる図面がＡ、Ｂの符号を付して示されている。
　甲第２号証（当審が通知した取消理由通知で引用した刊行物２）には、「透液性トップシートと、不透液性バックシートと、該両シートの間に介在させた吸液性コアと、腰周り部における該両シート部分の間に介在させた第１の弾性部材と、脚周り部における該両シート部分の間に介在させた第２の弾性部材とを有する使い捨てオムツにおいて、前記腰周り部における前記バックシート部分を同じく腰周り部における前記トップシート部分よりも長く延出させるとともに、この延出部分を内側に折り返して該トップシート部分に固定してあることを特徴とする前記オムツ。」［実用新案登録請求の範囲（１）］に関して、バックシート３は縦横伸縮性不織布とその内面に接着剤または溶着手段で間欠的に接合した縦横伸縮性プラスチックまたは合成ゴムフィルム（図示せず）とから構成してあることが好ましいこと［第８頁第３〜６行］が図面とともに記載されている。
　甲第３号証（当審が通知した取消理由通知で引用した刊行物３）には、「液透過性の表面シートと液不透過性の裏面シートの間に吸収層（吸収体）を有する紙おむつにおいて、装着時背中側になる紙おむつの長手方向端とその吸収体端の間隔が５０〜１５０ｍｍで、腹側になる紙おむつの長手方向端とその吸収体端の間隔が１０〜４０ｍｍであることを特徴とする幼児用使いすておむつ。」［実用新案登録請求の範囲］とともに、「従来の紙おむつの背中側のおむつの長手方向端とその吸収体端の間隔は２０〜３０ｍｍで腹側のそれとほとんど違わない。」［第３頁第８〜１０行］ことが記載されている。
　
３−３−２．対比・判断
３−３−２−１．請求項１に係る発明について
　本件請求項１に係る発明と甲第１号証に記載された発明とを対比すると、甲第１号証には、本件請求項１に係る発明の「液透過性の表面シート」、「防漏シート」及び「吸収体」に相当する「液透過性表面シート」、「液不透過性裏面シート」及び「吸収体」を有する使い捨ておむつが記載されており、おむつ表面の長手方向の両端部において、ある程度吸収体にかかる部分に疎水性のシートを配置して外部分からの漏れを防止するという点では両者は共通するものと認められる。
　しかしながら、上記疎水性のシートについて検討すると、本件請求項１に係る発明が、「上記防漏シートの長手方向両端部それぞれから、上記吸収体の両端部及び上記表面シートの両端部の表面に亘ってそれらを覆う疎水性シートが設けられ」としているのに対し、甲第１号証には上記摘示した記載及び図面の記載から、裏面シートの長手方向の両端部から吸収体の両端部を１０〜５０ｍｍ覆うように疎水性のシートが配されることが示されているということができるが、該疎水性のシートが親水性である表面シートの両端部の表面に亘って伸びていることについては、何ら記載されていない。この点について、第３及び４図からはＡ及びＢの部分が一部重なっているようにも見えるが、甲第１号証の明細書には、第３及び４図について、図面の簡単な説明として、「本発明使いすておむつの他の例」及び「図３のＣ−Ｃ’の断面図」と記載されている以外に何の説明もなく、当該図面の記載のみからは、上記の本件請求項１に係る構成が甲第１号証に記載されているとすることはできない。また、表面シートについての、本件請求項１に係る発明の「上記表面シートは、その長手方向両端部が上記吸収体よりもおむつの内方側に位置しており」という構成についても同様に、甲第１号証の明細書には何も記載されておらず、図面の記載のみからは、上記の本件請求項１に係る構成が甲第１号証に記載されているとすることはできない。すなわち、甲第１号証には、上記分説した本件請求項１に係る発明の、ＣおよびＥに係る構成が記載されておらず、したがってそれらの構成に関連した、Ｈ〜Ｊに係る構成も記載されていない。
　そこでこれらの構成について、甲第２及び３号証の記載を検討すると、甲第２号証に記載されたおむつの腰周り部において内側に折り返されたバックシートの延出部は、本件請求項１に係る発明の「疎水性シート」に相当するものと認めることができたとしても、トップシートの端部を覆ってはいても、該覆っている部位に吸液体（吸収体）は存在しておらず、また、甲第３号証の記載は、吸収体がおむつの長手方向端部からどの程度の距離の部位に配置されるかを示すにとどまり、「疎水性シート」についても、吸収体と表面シートの端部との関係についても何も記載も示唆もされていない。
　すなわち、甲第２及び３号証のいずれにも、上記本件請求項１に係る発明の構成ＣおよびＥ並びにＨ〜Ｊについては記載も示唆もされていない。
　してみれば、本件請求項１に係る発明の他の構成について検討するまでもなく、本件請求項１に係る発明は、甲第１乃至３号証に記載された発明に基づいて当業者が容易に発明をすることができたものとすることはできない。
　なお、当審が通知した取消理由通知で刊行物４として引用した、実願昭６１−４１７８０号（実開昭６２−１５３３０８号）のマイクロフィルムには、おむつの長手方向両端部の表面シートの上に帯状の疎水性不織布を介在することが開示されているが、この開示事項は、本件明細書に第４の従来技術として記載されている事項に相当し、表面シートが上記帯状の疎水性不織布及び裏面シートと端部を揃えて配置されるものであり、上記本件請求項１に係る発明の構成Ｅを欠如しており、ウエスト端部からの液の漏れを確実に防止するという本件請求項１に係る発明の効果を奏し得ない。
　　
３−３−２−２．請求項２に係る発明について
　本件請求項２に係る発明は、本件請求項１に係る発明の構成をすべて含むものであるので、上記「３−３−２−１．請求項１に係る発明について」の項で述べた理由により、甲第１乃至３号証に記載された発明に基づいて当業者が容易に発明をすることができたものとすることはできない。
３−３−３．異議申立人の主張について
　異議申立人は、本件請求項１に係る発明と甲第１号証に記載された発明との一致点として、甲第１号証の図３、４においてＡ部を形成している疎水性シートが裏面シートの長手方向両端部それぞれから吸収体両端部及び表面シートの両端部の表面に亘ってそれらを覆う態様、及び表面シートの長手方向両端部が吸収体よりもおむつの内方側に位置していることが示されている［異議申立書第６頁、「５．２．１　第１発明と甲第１号証との一致点」（３）及び（４）］としているが、当該図３及び４については、上記「３−３−２−１．請求項１に係る発明について」の項で述べた通りであるので、上記の点で本件請求項１に係る発明と甲第１号証に記載された発明とが一致としているとした上での異議申立人の主張は採用できない。
　
３−４．理由２について
　異議申立人が、明細書の記載が不備であるとして主張するところは、本件訂正前の明細書の特許請求の範囲の請求項１の記載において、「表面シートは、その長手方向両端部が上記吸収体よりもおむつの内方側に位置しており」としたうえで、「上記表面シートの長手方向の端部から上記防漏シートの長手方向の端部までの距離は５〜２９５ｍｍであり、上記防漏シートは、その長手方向端部において、上記吸収体の長手方向端部から１０〜２００ｍｍ延出しており、」と規定しており、上記の寸法は表面シートの位置に係る要件を満足しない範囲をも含むことになるというものであるが、前記訂正により、本件明細書の請求項１の上記寸法に係る記載は訂正され、異議申立人の主張するような不備はなくなったものと認める。
　
４．むすび
　以上のとおりであるから、特許異議申立ての理由及び証拠によっては、本件請求項１及び２に係る特許を取り消すことはできない。
　また、他に本件請求項１及び２に係る特許を取り消すべき理由を発見しない。
　したがって、本件請求項１及び２に係る特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年１０月４日（２００２．１０．４）
【訂正の要旨】
訂正の要旨
（１）特許請求の範囲の減縮を目的として、特許請求の範囲の【請求項１】の記載、
「【請求項１】液透過性の表面シートと、防漏シートと、これら両シート間に位置する吸収体とを有する使い捨ておむつにおいて、
　上記防漏シートは、その長手方向両端部が上記吸収体の長手方向両端部よりも外側に位置するように長く延出され、
　上記防漏シートの長手方向両端部それぞれから、上記吸収体の両端部及び上記表面シートの両端部の表面に亘ってそれらを覆う疎水性シートが設けられ、
　上記防漏シート及び疎水性シートの両端部により形成されるウエストフラップに伸縮部材が張設されてウエストギャザーが形成され、
　上記表面シートは、その長手方向両端部が上記吸収体よりもおむつの内方側に位置しており、
　上記表面シートの長手方向の端部から上記防漏シートの長手方向の端部までの距離は５〜２９５ｍｍであり、上記防漏シートは、その長手方向端部において、上記吸収体の長手方向端部から１０〜２００ｍｍ延出しており、上記疎水性シートは、上記防漏シートの長手方向端部から内側に１０ｍｍ以上延出していることを特徴とする使い捨ておむつ。」を、
「【請求項１】液透過性の表面シートと、防漏シートと、これら両シート間に位置する吸収体とを有する使い捨ておむつにおいて、
　上記防漏シートは、その長手方向両端部が上記吸収体の長手方向両端部よりも外側に位置するように長く延出され、
　上記防漏シートの長手方向両端部それぞれから、上記吸収体の両端部及び上記表面シートの両端部の表面に亘ってそれらを覆う疎水性シートが設けられ、
　上記防漏シート及び疎水性シートの両端部により形成されるウエストフラップに伸縮部材が張設されてウエストギャザーが形成され、
　上記表面シートは、その長手方向両端部が上記吸収体よりもおむつの内方側に位置しており、
　上記防漏シートは、熱可塑性樹脂にフィラーを加えて延伸した液不透過性且つ透湿性フィルムシートと繊維集合体との複合シートであり、
　上記疎水性シートは、疎水性を有する不織布であり、
　上記表面シートの長手方向の端部から上記防漏シートの長手方向の端部までの距離は３０〜１５０ｍｍであり、
　上記防漏シートは、その長手方向端部において、上記吸収体の長手方向端部からの距離Ｓとして３０〜１００ｍｍ延出しており、
　上記疎水性シートは、上記防漏シートの長手方向端部から内側に上記距離Ｓ＋１０ｍｍ以上延出し且つ上記吸収体の長さの１／３以上を覆わないようになしてあることを特徴とする使い捨ておむつ。」と訂正する。
（２）特許請求の範囲の減縮を目的として、特許請求の範囲の【請求項２】の記載、
「【請求項２】上記疎水性シートは、液不透過性で且つ透湿性を有するシート及び疎水性不織布の複合シートからなることを特徴とする請求項１記載の使い捨ておむつ。」を、
「【請求項２】上記疎水性シートは、液不透過性で且つ透湿性を有するシート及び疎水性不織布の複合シートからなり、該複合シートは、透湿性を損なわないように部分的に接着されていることを特徴とする請求項１記載の使い捨ておむつ。」と訂正する。
（３）明りょうでない記載の釈明を目的として、明細書の段落【０００７】に記載された、
「おむつの内方側に位置しており、上記表面シートの長手方向の端部から上記防漏シートの長手方向の端部までの距離は５〜２９５ｍｍであり、上記防漏シートは、その長手方向端部において、上記吸収体の長手方向端部から１０〜２００ｍｍ延出しており、上記疎水性シートは、上記防漏シートの長手方向端部から内側に１０ｍｍ以上延出していることを特徴とする使い捨ておむつ」を、
「おむつの内方側に位置しており、上記防漏シートは、熱可塑性樹脂にフィラーを加えて延伸した液不透過性且つ透湿性フィルムシートと繊維集合体との複合シートであり、上記疎水性シートは、疎水性を有する不織布であり、上記表面シートの長手方向の端部から上記防漏シートの長手方向の端部までの距離は３０〜１５０ｍｍであり、上記防漏シートは、その長手方向端部において、上記吸収体の長手方向端部からの距離Ｓとして３０〜１００ｍｍ延出しており、上記疎水性シートは、上記防漏シートの長手方向端部から内側に上記距離Ｓ＋１０ｍｍ以上延出し且つ上記吸収体の長さの１／３以上を覆わないようになしてあることを特徴とする使い捨ておむつ」と訂正する。
（４）明りょうでない記載の釈明を目的として、明細書の段落【００１２】の記載、
「【００１２】
　このため、表面シート２の長手方向の各端から防漏シート３の長手方向の各端までの距離Ｔは、５〜２９５ｍｍ、好ましくは、３０〜１５０ｍｍである。更に、表面シート２は、その長手方向各端部２ａ，２ａが、図１及び図２に示すように、伸縮部材６と当接しないようになされている。防漏シート３は、通常使用される液不透過性のフィルムであっても良いが、より着用者の快適性を確保するためにも液不透過性でかつ透湿性を有するフィルムを用いることが好ましい。具体的には、熱可塑性樹脂にフィラーを加えて延伸した液不透過性且つ透湿性フィルムシートや繊維集合体又は該フィルムシートと該繊維集合体との複合シートが用いられ、該複合シートを用いる場合には通常の使い捨ておむつと同様に該繊維集合体が外側に位置するように使用される。」を、
「【００１２】
　このため、表面シート２の長手方向の各端から防漏シート３の長手方向の各端までの距離Ｔは、３０〜１５０ｍｍである。更に、表面シート２は、その長手方向各端部２ａ，２ａが、図１及び図２に示すように、伸縮部材６と当接しないようになされている。防漏シート３は、より着用者の快適性を確保するためにも液不透過性でかつ透湿性を有するフィルムを用いることが好ましい。具体的には、熱可塑性樹脂にフィラーを加えて延伸した液不透過性且つ透湿性フィルムシートと繊維集合体との複合シートが用いられ、該複合シートを用いる場合には通常の使い捨ておむつと同様に該繊維集合体が外側に位置するように使用される。」と訂正する。
（５）明りょうでない記載の釈明を目的として、明細書の段落【００１３】に記載された、
「距離Ｓは、１０〜２００ｍｍ、好ましくは３０〜１００ｍｍである。」を、
「距離Ｓは、３０〜１００ｍｍである。」と訂正する。
（６）明りょうでない記載の釈明を目的として、明細書の段落【００１４】に記載された、
「疎水性シート５は、疎水性を有する一般的な不織布であっても良いが、好ましくは」を
「疎水性シート５は、疎水性を有する不織布であり、好ましくは」と訂正する。
（７）誤記の訂正を目的として、明細書の段落【００１４】に記載された、
「疎水性を有する不織布５ａと液透過性でかつ透湿性を有するシート５ｂ」を、
「疎水性を有する不織布５ａと液不透過性でかつ透湿性を有するシート５ｂ」と訂正する。
（８）明りょうでない記載の釈明を目的として、明細書の段落【００１５】に記載された、
「部分的な接着が好ましい。疎水性シート５は、その機能を充分に発揮するために、防漏シート３の両端（おむつ長手方向の両端）から内側に延出する寸法Ｕを１０ｍｍ以上としてある。上記寸法Ｕは、好ましくはＳ＋１０ｍｍ以上、特に好ましくはＳ＋３０ｍｍ〜Ｓ＋１００ｍｍであるが、吸収体の長さの１／３以上を覆ってしまうと吸収体４の吸収面積の減少を招き好ましくない。」を、
「部分的な接着でなされている。疎水性シート５は、その機能を充分に発揮するために、防漏シート３の両端（おむつ長手方向の両端）から内側に延出する寸法ＵをＳ＋１０ｍｍ以上とし且つ吸収体４の長さの１／３以上を覆わないようになしてある。上記寸法Ｕは、好ましくはＳ＋３０ｍｍ〜Ｓ＋１００ｍｍであるが、疎水性シート５が吸収体の長さの１／３以上を覆ってしまうと、吸収体４の吸収面積の減少を招き好ましくない。」と訂正する。
（９）誤記の訂正及び明りょうでない記載の釈明を目的として明細書の【符号の説明】の記載、
「１　使い捨ておむつ
　２　表面シート
　３　防漏シート
　５　疎水性シート
　６　ウエスト伸縮部材１０ａ、１０ｂ」を、
「１　使い捨ておむつ
　２　表面シート
　３　防漏シート
　４　吸収体
　５　疎水性シート
　６　ウエスト伸縮部材
　７　ウエストフラップ」と訂正する。
（５４）【発明の名称】
使い捨ておむつ
（５７）【特許請求の範囲】
　【請求項１】　液透過性の表面シートと、防漏シートと、これら両シート間に位置する吸収体とを有する使い捨ておむつにおいて、
　上記防漏シートは、その長手方向両端部が上記吸収体の長手方向両端部よりも外側に位置するように長く延出され、
　上記防漏シートの長手方向両端部それぞれから、上記吸収体の両端部及び上記表面シートの両端部の表面に亘ってそれらを覆う疎水性シートが設けられ、
　上記防漏シート及び疎水性シートの両端部により形成されるウエストフラップに伸縮部材が張設されてウエストギャザーが形成され、
　上記表面シートは、その長手方向両端部が上記吸収体よりもおむつの内方側に位置しており、
　
上記防漏シートは、熱可塑性樹脂にフィラーを加えて延伸した液不透過性且つ透湿性フィルムシートと繊維集合体との複合シートであり、
　
上記疎水性シートは、疎水性を有する不織布であり、
　上記表面シートの長手方向の端部から上記防漏シートの長手方向の端部までの距離は
３０〜１５０
の距離Ｓとして３０〜１００ｍｍ
上記距離Ｓ＋
且つ上記吸収体の長さの１／３以上を覆わないようになしてある
　【請求項２】　上記疎水性シートは、液不透過性で且つ透湿性を有するシート及び疎水性不織布の複合シートからな
り、該複合シートは、透湿性を損なわないように部分的に接着されてい
【発明の詳細な説明】
　【０００１】
　【産業上の利用分野】
　本発明は、液透過性の表面シートと、防漏シートと、これら両シート間に位置する吸収体とを有する使い捨ておむつに関し、特に、ウエスト部からの漏れを防止するようにした使い捨ておむつに関する。
　【０００２】
　【従来の技術】
　従来の使い捨ておむつは、液透過性の表面シートと、液不透過性の防漏シートと、これら両シート間に介在された吸収体とから縦長に形成されており、長手方向における表面シート及び防漏シートの寸法は実質的に同寸法に形成されており、これらの長手方向両端部は実質的に揃えらえている。
　また、表面シートは親水性であることから、一般に、尿が大量に排泄された場合や排泄した時の姿勢がうつ伏せであった時には、表面シートを伝わってウエスト部からの漏れが生じ易かった。
　【０００３】
　かかる漏れ防止策として、吸収体端部に、液不透過性のフィルム、或いは、疎水性不織布を配置し、所謂ウエストバリアーを形成することによって、ウエスト部からの漏れを防止する技術が知られている（第１の従来技術）。
　また、ウエスト部にギャザーを設置し、身体とのフィット性を高めてウエストからの漏れを防止する技術が知られている（第２の従来技術）。
　更に、上述の第１の従来技術と第２の従来技術とを併用した技術が知られている（第３の従来技術）。
　更にまた、表面シートの両端部において、表面シートの上面を覆うように疎水性の不織布を設置したものが知られている（第４の従来技術）。
　【０００４】
　【発明が解決しようとする課題】
　しかし、上述の第１の従来技術では、長手方向の吸収体端部からの漏れ防止には効果があるが、吸収体上面にある親水性の表面シートを伝わって漏れてしまうという問題点がある。
　第２の従来技術では、身体のフィット性を高める手段としては有効であり、例えば、着用者の下着がおむつの中に入り込むことは防止できるが、液漏れを充分に防止するまでに至らないという問題点がある。これは、ギャザーの締めつけ力を大きくすると着用者の肌を圧迫し、悪影響を及ぼすことになるため、漏れを充分に防止するほどギャザーを強く締めつけられないからである。更に、親水性の表面シートを伝わってくる液の漏れは防止できない。
　【０００５】
　第３の従来技術では、第２の従来技術と同じように、親水性の表面シートを伝わってくる液の漏れは防止できないという問題点がある。
　第４の従来技術では、一見、親水性の表面シートを伝わってくる液の漏れを防止できるように見えるが、ウエストフラップにおける疎水性シートが表面シートと防漏シートと実質的に端部を揃えるようにして配置されているとともに、これらはある程度の厚みを有しているために、ウエストフラップ端面から滲みでて漏れが生じるという不都合がある。
　【０００６】
　従って、本発明の目的は、ウエスト部からの液の漏れを確実に防止することができる使い捨ておむつを提供することにある。
　【０００７】
　【課題を解決するための手段】
　本発明は、液透過性の表面シートと、防漏シートと、これら両シート間に位置する吸収体とを有する使い捨ておむつにおいて、上記防漏シートは、その長手方向両端部が上記吸収体の長手方向両端部よりも外側に位置するように長く延出され、上記防漏シートの長手方向両端部それぞれから、上記吸収体の両端部及び上記表面シートの両端部の表面に亘ってそれらを覆う疎水性シートが設けられ、上記防漏シート及び疎水性シートの両端部により形成されるウエストフラップに伸縮部材が張設されてウエストギャザーが形成され、上記表面シートは、その長手方向両端部が上記吸収体よりもおむつの内方側に位置しており、
上記防漏シートは、熱可塑性樹脂にフィラーを加えて延伸した液不透過性且つ透湿性フィルムシートと繊維集合体との複合シートであり、上記疎水性シートは、疎水性を有する不織布であり、
３０〜１５０
の距離Ｓとして３０〜１００ｍｍ
上記距離Ｓ＋
且つ上記吸収体の長さの１／３以上を覆わないようになしてある
　【０００８】
　【作用】
　本発明の使い捨ておむつの着用中には、排泄された排泄物は、表面シートを介して吸収体に吸収されるが、吸収された排泄物はその後次第に吸収体あるいは表面シート上を伝わって、吸収体及び表面シート端部からウエスト部分に滲み出ようとする。ウエスト部には、吸収体及び表面シートの端面を含む端部を完全に覆うように疎水性シートが配置されているから、ウエスト部からの液の滲み漏れが阻止される。
　【０００９】
　【実施例】
　以下に、添付図面の図１〜図３に示す実施例に基づいて本発明を説明する。
　尚、図１は本発明の第１実施例の使い捨ておむつを一部破断して示す平面図、図２は図１に示す使い捨ておむつをＩＩ−ＩＩ線に沿って切断した主要部を示す断面図、図３は図１に示す使い捨ておむつに用いられる疎水性シートの断面図である。
　【００１０】
　先ず、図１及び図２を参照して本発明の第１実施例について説明する。
　第１本実施例の使い捨ておむつ１は、液透過性の表面シート２と、防漏シート３と、これら両シート間に位置する吸収体４とを有する使い捨ておむつにおいて、上記防漏シート３は、その長手方向両端部３ａが上記吸収体の長手方向両端部４ａよりも外側に位置するように長く延出され、上記防漏シートの長手方向両端部３ａそれぞれから、上記吸収体の両端部４ａ及び上記表面シートの両端部２ａの表面を覆う疎水性シート５が設けられ、上記防漏シート及び疎水性シートの端部よりなるウエストフラップ１１に伸縮部材６が張設されてウエストギャザーが形成され、上記表面シート２は、その長手方向両端部２ａ，２ａが伸縮部材６よりもおむつの内方側に位置する。
　【００１１】
　上記表面シート２は、排泄物を吸収体４へ透過させる液透過性シートで肌着に近い感触を有するとともに、一般に使い捨ておむつとして使用されているものが用いられ、このような液透過性シートとしては、例えば、ポリエチレン、ポリプロピレン、ポリエステル等を原料とする繊維やこれらの複合繊維を用いたスパンボンド方式やヒートボンド方式、水流交絡方式によりシート化された尿の吸収性を向上させるための親水化処理が少なくとも吸収体上面に設置される部分になされている一層あるいは複数層の不織布であり、風合いや強度や尿の吸収性を考慮すると５〜３５ｇ／ｍ２のものが用いられる。
　上記表面シート２は、上記使い捨ておむつの長手方向における防漏シート３より短い寸法で配置されている。防漏シート３と同じかこれより長いと防漏シートを越えて滲み漏れを生じてしまう為である。
　【００１２】
　このため、表面シート２の長手方向の各端から防漏シート３の長手方向の各端までの距離Ｔは
、３
　防漏シート３は
、よ
フィルムシートと繊維集合体
　【００１３】
　防漏シート３は、その長手方向両端部において、吸収体４の長手方向各端からの距離Ｓだけ延出しているが、距離Ｓは
、３
　吸収体４は、略中央がくびれた砂時計型形状に形成されていることが好ましく、吸収体４の材料としては、解繊パルプを主材とし、高分子吸水ポリマーを併用したものが好ましく、その他、熱可塑性樹脂、セルロース繊維、あるいは高分子吸水ポリマーの混合物に熱処理したものが好ましい。高分子吸水ポリマーの存在位置は上層、中層、下層のいずれであってもよく、パルプと混合したものであってもよい。高分子吸水ポリマーは自重の２０倍以上の液体を吸収して保持する性能を有し、ゲル化する性質を有する粒子状のものが好ましく、このような高分子吸水ポリマーとしては、デンプン−アクリル酸（塩）グラフト共重合体のケン化物、ナトリウムカルボキシメチルセルロースの架橋物、アクリル酸（塩）重合体等が好ましい。
　【００１４】
　疎水性シート５は、疎水性を有す
る不
り
不
　【００１５】
　これらの不織布５ａとシート５ｂとの複合化は、接着材による複合であっても熱を加えるヒートエンボス方式や超音波方式であっても構わないが、透湿性を損なわないように部分的な接着
でなされている
　疎水性シート５は、その機能を充分に発揮するために、防漏シート３の両端（おむつ長手方向の両端）から内側に延出する寸法Ｕ
をＳ＋
且つ吸収体４の長さの１／３以上を覆わないようになし
はＳ
疎水性シート５が
、
　また、表面シート２からの液漏れを確実に防止するため、表面シート２と疎水性シート５との重なり部分の寸法Ｗは、５ｍｍ以上あることが好ましい。
　ウエスト伸縮部材６は、伸縮性を有する天然ゴム、合成ゴム、ウレタン等の樹脂シート状、糸状、発泡体のいずれであっても良く形状は問わないが、疎水性であることが好ましい。
　【００１６】
　尚、図中符号７は、レッグ伸縮部材であり、上述のウエスト伸縮部材６、６と同様な部材で構成されており、着用時に脚部周囲にギャザーを形成し、かかる部分からの漏れが防止されるようになっている。
　次に、第１実施例の使い捨ておむつ１の作用について説明する。
　本実施例の使い捨ておむつ１は、着用者の排尿時には、表面シート２を介して吸収体４に吸収される。吸収体４に吸収された排尿は、その排尿ポイントから周囲に広がってウエストフラップ１１に位置する吸収体４の端部４ａに到達し、該端部４ａから漏れ出ようとする。一方、表面シート２を介して、排尿ポイントに排出された液は単に排尿を吸収体４へ透過させるのみならず、表面シート２自体を広がって、ウエストフラップ１１における端部２ａにまで到達する。
　【００１７】
　しかし、該表面シート２の端部２ａと吸収体４の端部４ａには、疎水性シート５が被覆されており、該端部２ａ、４ａに到達した液（尿）の漏れが防止される。
　特に、表面シート２が防漏シート３の端部まで達していないことから、防漏シート３と疎水性シート５とにより閉じられた袋状部分に表面シート２と吸収体４を覆うことになり、表面シート２と防漏シート３の端部が位置するフラップ１１からの漏れが防止される。
　【００１８】
　また、ウエストフラップ１１には、伸縮部材６によりギャザーが形成されており、着用者とのフィット性が高められているので、この部分からの漏れ防止が更に高められている。特に、突発的な排尿に対して、ウエストフラップ１１のギャザーにより確実に漏れが防止される。
　【００１９】
　【００２０】
　【発明の効果】
　本発明の使い捨ておむつによれば、ウエスト部からの液の漏れを確実に防止することができる。
【図面の簡単な説明】
　【図１】
　本発明の第１実施例の使い捨ておむつを一部破断して示す平面図である。
　【図２】
　図１に示す使い捨ておむつをＩＩーＩＩ線に沿って切断した主要部を示す断面図である。
　【図３】
　図１に示す使い捨ておむつに用いられる疎水性シートの断面図である。
【符号の説明】
　１　使い捨ておむつ
　２　表面シート
　３　防漏シート
　
４　吸収体
　５　疎水性シート
　６　ウエスト伸縮部材
　
１１　ウエストフラップ